(57)【要約】【課題】熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の蓋材２０であって、蓋材２０を中央付近まで剥がして外側に折曲げて、容器３０を途中まで開蓋した状態で熱湯を注ぐ時に、外側に折曲げた蓋材２０が元の形状に戻る恐れがないために、容器３０が閉蓋して熱湯が注ぎ難いなどの問題がないアルミレス蓋材を提供する。【解決手段】本発明は、少なくとも紙材料層２と樹脂フィルム層３とイージーピール層４とを積層して成る、円形状又は角を丸めた長方形状の蓋材２０において、蓋材２０の相対する２個所の周辺に、それぞれ適宜形状の繋止突片２１と繋止孔片２２とを連設したアルミレス蓋材である。【選択図】図１
2005059940.tif 000002
【特許請求の範囲】
【請求項１】
少なくとも紙材料層２と樹脂フィルム層３とイージーピール層４とを積層して成る、円形状又は角を丸めた長方形状の蓋材２０において、蓋材２０の相対する２個所の周辺に、それぞれ適宜形状の繋止突片２１と繋止孔片２２とを連設したことを特徴とするアルミレス蓋材。
【発明の詳細な説明】
【技術分野】
【０００１】
本発明は、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の蓋材２０であって、蓋材２０を中央付近まで剥がして熱湯を注ぐ時に、容器３０が閉蓋して熱湯が注ぎ難いなどの問題がないアルミレス蓋材に関する。
【背景技術】
【０００２】
従来から、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の、例えば図３Ａ ,Ｂに示すような、適宜の紙材料層２と適宜の樹脂フィルム層３と７〜９μｍ程度のアルミニウム箔７と適宜のイージーピール層４とを、適宜の接着剤層５や適宜の接着性樹脂層６などを介して積層して成る蓋材２０が、一般に広く用いられているものであって、蓋材２０を中央付近まで剥がして外側に折曲げて、容器３０を途中まで開蓋した状態で熱湯を注ぐ時に、この７〜９μｍ程度のアルミニウム箔７に、与えられた形状をそのまま保持する性質( デットホールド性と言う )があるために、蓋材２０の紙材料層２と樹脂フィルム層３とイージーピール層４との、元の形状に戻ろうとする性質を抑えて、外側に折曲げた蓋材２０が元の形状に戻る恐れがないために、容器３０が閉蓋して熱湯が注ぎ難いなどの問題はなかった。
【０００３】
また従来から、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の蓋材２０であって、廃棄時の処理処分や食品類の金属探知などが難しいとの理由で、前述した７〜９μｍ程度のアルミニウム箔７を積層していないアルミレスの蓋材２０が、強く望まれて用いられている。
【０００４】
すなわち、例えば図３Ａ ,Ｃに示すような、上質紙や片面アート紙などの、表面に美麗な印刷をした紙材料層２と、ポリエステルや延伸ナイロンやセラミック蒸着付のポリエステル ,延伸ポリプロピレンなどの、強度や各種バリアー性などが優れた樹脂フィルム層３と、エチレンーメタアクリル酸共重合体(EMAA)やエチレンー酢酸ビニル共重合体(EVA )やポリエチレンとポリブテンとのブレンド樹脂などの、密封性などが優れている上に、熱融着した後に容易に剥がすことができるイージーピール層４とを、ウレタン系などの接着剤層５や低密度ポリエチレンなどの接着性樹脂層６などを介して積層して成る、周辺につまみ片２４を連設した円形状又は角を丸めた長方形状のアルミレスの蓋材２０である。
【発明の開示】
【発明が解決しようとする課題】
【０００５】
ところが従来の、図３Ａ ,Ｃに示すアルミレスの蓋材２０については、円形状又は角を丸めた長方形状の蓋材２０のつまみ片２４に指を掛けて、やゝ強く引張るだけで、簡単にカップ状又はトレー状の容器３０を開蓋することができる、廃棄時の処理処分や食品類の金属探知などが容易なアルミレスの蓋材２０であるものの、蓋材２０を中央付近まで剥がして外側に折曲げて、容器３０を途中まで開蓋した状態で熱湯を注ぐ時に、蓋材２０の紙材料層２が、熱湯から発生する蒸気の影響を受けて元の形状に戻ろうとするために、また蓋材２０の樹脂フィルム層３とイージーピール層４とに、元の形状に戻ろうとする性質があるために、外側に折曲げた蓋材２０が元の形状に戻ることが多くて、容器３０が閉蓋して熱湯が注ぎ難いなどの問題があった。
【０００６】
そこで、本発明の目的は、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の蓋材２０であって、蓋材２０を中央付近まで剥がして外側に折曲げて、容器３０を途中まで開蓋した状態で熱湯を注ぐ時に、外側に折曲げた蓋材２０が元の形状に戻る恐れがないために、容器３０が閉蓋して熱湯が注ぎ難いなどの問題がないアルミレス蓋材を提供することにある。
【課題を解決するための手段】
【０００７】
本発明のアルミレス蓋材は、図１に示すように、少なくとも紙材料層２と樹脂フィルム層３とイージーピール層４とを積層して成る、円形状又は角を丸めた長方形状( 図１Ａでは円形状 )の蓋材２０において、蓋材２０の相対する２個所の周辺に、それぞれ適宜形状( 図１Ａでは矢印状とリング状と )の繋止突片２１と繋止孔片２２とを連設したことを特徴とするアルミレス蓋材である。
【０００８】
本発明のアルミレス蓋材においては、少なくとも紙材料層２と樹脂フィルム層３とイージーピール層４とを積層して成る、前述した図３Ａ ,Ｃに示すアルミレスの蓋材２０と同様の、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の蓋材２０において、蓋材２０の相対する２個所の周辺に、それぞれ適宜形状の繋止突片２１と繋止孔片２２とを連設したことによって、
この蓋材２０の繋止突片２１( 又は繋止孔片２２ )に指を掛けて引張って、蓋材２０を中央付近まで剥がして外側に折曲げて、図２Ｂに示す容器３０を途中まで開蓋した状態で熱湯を注ぐ時に、図２Ｃに示すように、外側に折曲げた蓋材２０の、適宜形状の繋止突片２１を繋止孔片２２に挿入して固定することができるために、蓋材２０の紙材料層２が、熱湯から発生する蒸気の影響を受けて元の形状に戻ろうとしても、また蓋材２０の樹脂フィルム層３とイージーピール層４とに、元の形状に戻ろうとする性質があったとしても、外側に折曲げた蓋材２０が元の形状に戻る恐れがない、容器３０が閉蓋して熱湯が注ぎ難いなどの問題がないアルミレス蓋材を提供することができる。
【発明の効果】
【０００９】
以上、本発明のアルミレス蓋材においては、熱湯を注いで調理するカップラーメンやトレー焼きそばなどを収容する、発泡スチロール製などのカップ状又はトレー状の容器３０に被せて、周辺部２３を熱融着する円形状又は角を丸めた長方形状の蓋材２０であって、蓋材２０を中央付近まで剥がして外側に折曲げて、容器３０を途中まで開蓋した状態で熱湯を注ぐ時に、外側に折曲げた蓋材２０の、適宜形状の繋止突片２１を繋止孔片２２に挿入して固定することができるために、外側に折曲げた蓋材２０が元の形状に戻る恐れがない、容器３０が閉蓋して熱湯が注ぎ難いなどの問題がないアルミレス蓋材を提供することができる。
【発明を実施するための最良の形態】
【００１０】
＜実施例１＞
図１Ａ ,Ｂは、本発明の実施例１における、アルミレス蓋材の平面図 ,断面説明図であって、図１Ｃ ,Ｄ ,Ｅ ,Ｆは、他のアルミレス蓋材の部分平面図である。また図２Ａ ,Ｂ
,Ｃは、本発明の実施例１におけるアルミレス蓋材を、容器３０に熱融着した状態と中央付近まで剥がした状態とを示す断面図である。
【００１１】
すなわち、片面アート紙１３０ｇ／ｍ2 の、表面に美麗な印刷をした紙材料層２と、セラミック蒸着付のポリエステル１２μｍの、強度や各種バリアー性などが優れた樹脂フィルム層３と、エチレンー酢酸ビニル共重合体(EVA )３０μｍの、密封性などが優れている上に、熱融着した後に容易に剥がすことができるイージーピール層４とを、図１Ｂに示す
ように、５ｇ／ｍ2 のウレタン系の接着剤層５と低密度ポリエチレン１５μｍの接着性樹脂層６とを介して、通常のドライラミネート方法と通常の熱押出しラミネート方法とで積層した後に、図１Ａに示すように、周辺を金属打抜刃で切断して除去して、蓋材２０の左右の相対する２個所の周辺に、それぞれ矢印状の繋止突片２１とリング状の繋止孔片２２とを連設した、１００ｍｍφの円形状の蓋材２０を作製した。
【００１２】
次に、図１Ａに示す１００ｍｍφの円形状の蓋材２０を、図２Ａに示すように、熱湯を注いで調理するカップラーメンを収容する、発泡スチロール製の外径が１００ｍｍφのカップ状の容器３０に被せて、この容器３０のフランジ３１に蓋材２０の周辺部２３を熱融着したところ、前述した図３Ａ ,Ｃに示すアルミレスの蓋材２０と同様に、蓋材２０の矢印状の繋止突片２１( 又はリング状の繋止孔片２２ )に指を掛けて、やゝ強く引張るだけで、簡単にカップ状の容器３０を開蓋することができる、前述した７〜９μｍ程度のアルミニウム箔７を積層していないために、廃棄時の処理処分や食品類の金属探知などが容易なアルミレス蓋材が得られた。
【００１３】
本実施例１のアルミレス蓋材においては、図１Ａに示すように、蓋材２０の左右の相対する２個所の周辺に、それぞれ矢印状の繋止突片２１とリング状の繋止孔片２２とを連設したことによって、この蓋材２０の繋止突片２１( 又は繋止孔片２２ )に指を掛けて引張って、蓋材２０を中央付近まで剥がして外側に折曲げて、図２Ｂに示す容器３０を途中まで開蓋した状態で熱湯を注ぐ時に、図２Ｃに示すように、外側に折曲げた蓋材２０の、矢印状の繋止突片２１をリング状の繋止孔片２２に挿入して固定することができるために、蓋材２０の紙材料層２が、熱湯から発生する蒸気の影響を受けて元の形状に戻ろうとしても、また蓋材２０の樹脂フィルム層３とイージーピール層４とに、元の形状に戻ろうとする性質があったとしても、外側に折曲げた蓋材２０が元の形状に戻る恐れがない、容器３０が閉蓋して熱湯が注ぎ難いなどの問題がないアルミレス蓋材を得ることができた。
【００１４】
また、本実施例１の他のアルミレス蓋材においては、蓋材２０の相対する２個所の周辺に、図１Ｃに示す横長舌片状や図１Ｄに示す屈曲矢印状や図１Ｅに示す切込み半円状や図１Ｆに示す円板連設状などの繋止突片２１と、各種のリング状の繋止孔片２２とを、それぞれ連設したことによって、同様に蓋材２０を中央付近まで剥がして外側に折曲げて、容器３０を途中まで開蓋した状態で熱湯を注ぐ時に、外側に折曲げた蓋材２０の、横長舌片状や屈曲矢印状や切込み半円状や円板連設状などの繋止突片２１を各種のリング状の繋止孔片２２に挿入して固定することができるために、外側に折曲げた蓋材２０が元の形状に戻る恐れがない、容器３０が閉蓋して熱湯が注ぎ難いなどの問題がないアルミレス蓋材を得ることができた。
【産業上の利用可能性】
【００１５】
特になし。
【図面の簡単な説明】
【００１６】
【図１】本発明の実施例１における、図１Ａ ,Ｂは、アルミレス蓋材の平面図 ,断面説明図であって、図１Ｃ ,Ｄ ,Ｅ ,Ｆは、他のアルミレス蓋材の部分平面図である。
【図２】本発明の実施例１における、図２Ａ ,Ｂ ,Ｃは、アルミレス蓋材を、容器３０に熱融着した状態と中央付近まで剥がした状態とを示す断面図である。
【図３】図３Ａ ,Ｂ ,Ｃは、従来の蓋材２０の平面図 ,断面説明図である。
【符号の説明】
【００１７】
２    …紙材料層
３    …樹脂フィルム層
４    …イージーピール層
５    …接着剤層
６    …接着性樹脂層
７    …アルミニウム箔
２０  …蓋材
２１  …繋止突片
２２  …繋止孔片
２３  …周辺部
２４  …つまみ片
３０  …容器
３１  …フランジ
【図１】
2005059940.tif 000003
【図２】
2005059940.tif 000004
【図３】
2005059940.tif 000005